(57)【要約】      （修正有）【課題】造花を観賞対象として用いる他、芳香発散装置としても用い、実用性及びインテリア性に共に優れた性能を持つ室内芳香器を提供する。【解決手段】液体芳香剤１２を収容し、上部に開口を有する容器１１と、その開口の上に配置されたソラの木の皮で作製した造花１３と、下端が液体芳香剤１２中に配置され、上部において造花１３と接続されている浸透性の紐１３ａと、を備える室内芳香器１０。乾燥させたソラの皮は繊維が非常に細かく、浸透性の紐１３ａが吸い上げた液体芳香剤１２を十分に吸収し、それをゆっくりと揮発させる。そのため、芳香の揮散が長時間安定的に持続する。また、液体芳香剤１２の、造花１３の花弁１３ｂへの浸透が目で見えるため、美観上の効果も得ることができる。【選択図】図１
0003134691.tif 000002
【実用新案登録請求の範囲】
【請求項１】
a)液体芳香剤を収容する、上部に開口を有する容器と、
b)前記開口の上に配置された、ソラの木の皮で作製した造花と、
c)下端が前記液体芳香剤中に配置され、上部において前記造花と接続されている浸透性の紐と、
を備えることを特徴とする室内芳香器。
【請求項２】
前記液体芳香剤が有色であり、前記造花が淡色であることを特徴とする請求項１に記載の室内芳香器。
【請求項３】
前記紐が綿糸を編んだ綿コードであることを特徴とする請求項１又は２に記載の室内芳香器。
【請求項４】
前記綿コードの中にワイヤが挿入されていることを特徴とする請求項１〜３のいずれかに記載の室内芳香器。
【請求項５】
前記容器が透明であることを特徴とする請求項１〜４のいずれかに記載の室内芳香器。
【考案の詳細な説明】
【技術分野】
【０００１】
本考案は、液体芳香剤を吸い上げて揮発させることにより設置空間を適度な芳香で満たすことができる、扱いやすくインテリア性にも優れた室内芳香器に関する。
【背景技術】
【０００２】
近年、生活空間をより快適にする方法として、また心身の疲れを癒すリラクゼーションの方法として、香りの効能が注目を浴びている。一定の空間を芳香で満たす手段としては、従来、香やアロマオイル、アロマキャンドル、ルームスプレーなどがあるが、火や電気を用いるため注意が必要であったり、芳香が弱くなったときには噴霧する必要があったりと、人による管理が不可欠であった。一方で、香料をしみこませた素焼きポットやポプリなど、そのような管理が不要なタイプの芳香発散装置もあるが、空間を満たす香りの強さを調節することはできなかった。非特許文献１は、木製リードを通じてアロマオイルの香りを吸い上げて芳香を発散する装置であり、管理の容易さや香りが調節できるという点では優れているものの、扱いやすさや芳香の強さという点については充分考慮されたとは言い難く、インテリア性においても検討の余地が残されていた。
【０００３】
そこで、本件出願人は、ほのかな香気を安定して持続的に室内に発散させるために、平たく長い複数本の短冊状木製板材(リード)を用いた室内芳香器を提案した（特許文献１）。
【０００４】
一方、芳香発散装置としてばかりではなく、室内装置品としての観点から、見た目も自然な感じを与えるために造花を用いた室内芳香器も多数提案されている（例えば、特許文献２、特許文献３等）。
【０００５】
【特許文献１】実用新案登録第3119834号公報
【特許文献２】特開2004-121808号公報
【特許文献３】特開2004-329794号公報
【非特許文献１】「アロマリード」，[online]，Alione Pty Ltd，平成19年6月1日検索，インターネット<URL:http://www.alione.net/arome%20reed.htm>
【考案の開示】
【考案が解決しようとする課題】
【０００６】
従来の造花を用いた室内芳香器は、造花は単に見た目を華やかにするための観賞対象としてのみ用いられており、芳香発散装置としては用いられていなかった。
【０００７】
本考案が解決しようとする課題は、造花を観賞対象として用いる他、芳香発散装置としても用いる、実用性及びインテリア性に共に優れた性能を持つ室内芳香器を提供することである。
【課題を解決するための手段】
【０００８】
上記課題を解決するために成された本考案に係る室内芳香器は、
a)液体芳香剤を収容する、上部に開口を有する容器と、
b)前記開口の上に配置された、ソラの木の皮で作製した造花と、
c)下端が前記液体芳香剤中に配置され、上部において前記造花と接続されている浸透性の紐と、
を備えることを特徴とする。
【考案の効果】
【０００９】
本考案に係る室内芳香器は、造花をソラの木の皮で作製する。ソラ（Sola）は、タイ原産のマメ科ツノクサネム属の低木である。その幹（茎）を一皮むくと、光沢のある茎実が現れる。この光沢のある茎実の皮を薄くむき、乾燥させたものがポプリとして販売されているが、本考案ではそれを花びらの形にして造花を作製する。
【００１０】
乾燥させたソラの皮は繊維が非常に細かく、浸透性の紐が吸い上げた液体芳香剤を十分に吸収し、それをゆっくりと揮発させる。そのため、本考案に係る室内芳香器では、芳香の揮散が長時間安定的に持続する。
【００１１】
なお、前記液体芳香剤に有色の（色の強い）ものを使用し、造花には淡色の（色の薄い）ものを用いることが望ましい。ソラの皮は、そのままでは白色であるため、模擬しようとする花の種類に応じて各種の着色をすることができる。しかし、造花はあまり強い色で着色せずに白色のまま、或いは着色をしても薄い色としておき、液体芳香剤に強い色のものを用いると、液体芳香剤が造花の中（花弁）を浸透してゆく間に、花の色の変化を楽しむことができる。なお、このとき、造花の形は、その色に合うものとしておくことが好ましい。例えば、赤の液体芳香剤の場合はバラやチューリップ、カーネーション等、青い液体芳香剤の場合はアジサイやアサガオ等とすることができる。
【００１２】
前記浸透性の紐としては、綿糸を編んだ綿コードが適している。綿コードも、その造花の茎に似た形状・色としておくと、造花全体がより自然に近くなる。また、その中にワイヤを通しておくと、造花が容器の開口よりも上で自立できるようになり、造花の配置の自由度が高まる。
【００１３】
前記容器には、不透明な陶磁器を用いてもよいし、透明なものを用いてもよい。透明である場合には、液体芳香剤の減り具合が分かるという実用的な効果の他、造花を茎部を含めた全体で観賞することができるという美観上の効果も得られる。
【考案を実施するための最良の形態】
【００１４】
図１に、本考案に係る室内芳香器の第一の実施形態を示す。本実施形態の室内芳香器１０は、透明なガラス瓶１１と、その中に収容されている液体芳香剤１２と、その中に立てられた造花１３から成る。造花１３は、下半分が液体芳香剤１２中に浸漬された茎部１３ａと、その上に設けられた花弁部１３ｂから成る。茎部１３ａは太さ約3〜5mmの綿コードから成り、その中には太さ0.5〜1mmのワイヤが通されている(これらの太さは、花弁部１３ｂの大きさに応じて適宜選択する)。このワイヤにより造花１３はガラス瓶１１の中で自立可能となっており、その花弁部１３ｂはガラス瓶１１の開口部１１ａよりもやや上で静止することができるようになっている。なお、ガラス瓶１１の開口部１１ａと茎部１３ａの隙間からの液体芳香剤１２の無駄な揮発を防ぐため、両者の間にワッシャ１４を入れておくことが望ましい。
【００１５】
造花１３の花弁部１３ｂの各花弁は、ソラの木の皮で作製されている。なお、造花の構造及び作製方法は、従来の通常の造花と何ら変わるところはない。
【００１６】
本実施形態の室内芳香器１０では、造花１３の茎部１３ａの綿コードが液体芳香剤１２を吸い上げ、花弁部１３ｂに供給する。ソラの木の皮から成る花弁部１３ｂでは、その細かい組織により、液体芳香剤１２が緩やかな速度で根本から先端の方へ浸透してゆくが、その間、液体芳香剤１２が着色されていることにより、それが花弁を浸透してゆくのを目で見ることができる。このとき、茎部１３ａが花弁部１３ｂの中心に接続されているため、色は花の中心から付き始め、徐々に周辺に広がって行くようになる。その様はまるで花が少しずつ開花してゆくように見え、利用者は、液体芳香剤１２の香気に加えて、その花の色の変化という視覚からの美感によりいやされることとなる。
【００１７】
本考案に係る室内芳香器１０では、造花１３の花弁部１３ｂからの液体芳香剤１２の揮散の速度が遅いため、周囲に強い芳香ではなく、微弱な香気を漂わせ、上品な香気空間を形成する。また、そのような安定した香気を長時間楽しむことができる。
【００１８】
図２に、本考案に係る室内芳香器の第二の実施形態を示す。本実施形態の室内芳香器２０は、不透明な容器２１と、その中に立てられた造花２３から成る。容器２１の中には液体芳香剤が収容されているが、本実施形態の室内芳香器２０ではそれが外からは見えないようになっており、予兆なしに造花２３の色が変化することを楽しむことができる。なお、造花２３の茎部や花弁部の構造、及び花弁部がソラの木の皮で作製されていること等は上記第一の実施形態と同様である。
【００１９】
なお、いずれの実施形態においても、液体芳香剤にはアルコールに適度の量の香料を加えたものを用いることができるが、さらに防虫性、抗菌性、防腐性等の効果を持つヒノキチオール等を加えてもよい。
【図面の簡単な説明】
【００２０】
【図１】本考案に係る室内芳香器の第一の実施形態のものを示す斜視図。
【図２】本考案に係る室内芳香器の第二の実施形態のものを示す斜視図。
【符号の説明】
【００２１】
１０…室内芳香器
１１…ガラス瓶
１２…液体芳香剤
１３…造花
１３ａ…茎部
１３ｂ…花弁部
１４…ワッシャ
２０…室内芳香器
２１…液体芳香剤容器
２３…造花
【図１】
0003134691.tif 000003
【図２】
0003134691.tif 000004